(57)【要約】【課題】使い勝手がよくて便利なキャビネット、洗面化粧台、及びコンピュータプログラムを提供する。【解決手段】本実施の形態に係るキャビネット１は、物品が収納されるキャビネット１において、開き戸又は折れ戸であり、被写体（例えば使用者の後ろ姿）を撮像して画像を出力する撮像装置１３が配される第１扉１１と、開き戸又は折れ戸であり、前記撮像装置１３が出力した画像を表示する表示装置１４が配される第２扉１２とを備えることを特徴とする。【選択図】図２
2019146787.tif 000002
【特許請求の範囲】
【請求項１】
物品が収納されるキャビネットにおいて、
開き戸又は折れ戸であり、被写体を撮像して画像を出力する撮像装置が配される第１扉と、
開き戸又は折れ戸であり、前記撮像装置が出力した画像を表示する表示装置が配される第２扉と
を備えることを特徴とするキャビネット。
【請求項２】
前記撮像装置は、前記第１扉及び前記第２扉が開いた場合に前記第１扉の前記第２扉に対向する面に配され、
前記表示装置は、前記第１扉及び前記第２扉が開いた場合に前記第２扉の前記第１扉に対向する面に配されることを特徴とする請求項１に記載のキャビネット。
【請求項３】
前記第１扉及び前記第２扉は夫々開き戸であり、
前記第１扉及び前記第２扉が開いた場合に前記第１扉及び前記第２扉夫々の裏側の面が対向することを特徴とする請求項２に記載のキャビネット。
【請求項４】
前記第１扉及び前記第２扉は夫々折れ戸であり、
前記第１扉及び前記第２扉が開いた場合に前記第１扉及び前記第２扉夫々の一部の表側の面が対向することを特徴とする請求項２に記載のキャビネット。
【請求項５】
前記第１扉と前記第２扉との間に配された第３扉を更に備えることを特徴とする請求項１から４の何れか一項に記載のキャビネット。
【請求項６】
前記表示装置は、
前記撮像装置が出力した画像を表示する表示パネルと、
該表示パネルを覆うハーフミラーと
を備えることを特徴とする請求項１から５の何れか一項に記載のキャビネット。
【請求項７】
前記撮像装置は、上下方向に移動可能に前記第１扉に取り付けられることを特徴とする請求項１から６の何れか一項に記載のキャビネット。
【請求項８】
前記撮像装置は、前記被写体を撮像して画像を出力する撮像部を有する携帯情報端末機であり、
前記第１扉は、前記撮像装置を着脱可能に保持する保持部材を有することを特徴とする請求項１から７の何れか一項に記載のキャビネット。
【請求項９】
前記保持部材は、互いに接離可能であり、前記撮像装置を挟み持つ２つの保持片を有することを特徴とする請求項８に記載のキャビネット。
【請求項１０】
前記保持部材は係合部を有し、
前記第１扉には複数の被係合部が一方向に並設されており、
前記係合部は前記被係合部に着脱可能に係合することを特徴とする請求項８又は９に記載のキャビネット。
【請求項１１】
前記保持部材は、長さ方向に伸縮可能な保持棒を有し、
該保持棒の先端部にて前記撮像装置が保持され、
前記保持棒の基端部は前記第１扉に取り付けられていることを特徴とする請求項８から１０の何れか一項に記載のキャビネット。
【請求項１２】
前記保持部材は、
前記第１扉に取り付けられる取付部と、
該取付部に対して相対的に回動可能であり、前記撮像装置が保持される保持部と
を有することを特徴とする請求項８から１１の何れか一項に記載のキャビネット。
【請求項１３】
前記保持部材又は前記第１扉は、前記撮像装置に給電するための給電部を有することを特徴とする請求項８から１２の何れか一項に記載のキャビネット。
【請求項１４】
前記保持部材又は前記第１扉は、前記撮像装置に着脱可能に接続されるケーブルが着脱可能に接続されるコネクタを有することを特徴とする請求項８から１３の何れか一項に記載のキャビネット。
【請求項１５】
前記保持部材又は前記第１扉は、前記ケーブルが収容される収容部を有することを特徴とする請求項１４に記載のキャビネット。
【請求項１６】
前記表示装置は、表示パネルを有する携帯情報端末機であり、
前記第２扉は、前記表示装置を着脱可能に保持する装置保持部材を有することを特徴とする請求項１から１５の何れか一項に記載のキャビネット。
【請求項１７】
前記表示装置は前記第２扉に固定されていることを特徴とする請求項１から１５の何れか一項に記載のキャビネット。
【請求項１８】
洗面台と、
前記洗面台の後部上方に設けられているキャビネットと
を備える洗面化粧台において、
前記キャビネットは、請求項１から１７の何れか一項に記載のキャビネットであることを特徴とする洗面化粧台。
【請求項１９】
キャビネットの第１扉に配されるコンピュータに、
前記キャビネットの第２扉に配され、ハーフミラーに覆われた表示パネルを備える表示装置との通信を確立し、
被写体の背面を撮像する撮像部が出力した画像を前記表示パネルに表示させるべく前記表示装置に送信する
処理を実行させることを特徴とするコンピュータプログラム。
【請求項２０】
前記コンピュータに、
音声入力によりオフコマンドを受け付け、
該オフコマンドを受け付けた場合に、前記ハーフミラー上に前記被写体の正面の像を顕示すべく前記画像の前記表示装置への送信を停止する
処理を実行させることを特徴とする請求項１９に記載のコンピュータプログラム。
【発明の詳細な説明】
【技術分野】
【０００１】
本発明は、物品が収納されるキャビネット、洗面化粧台、及びコンピュータプログラムに関する。
【背景技術】
【０００２】
従来、物品が収納されるキャビネットが用いられている。使用者が身に着ける物、又は身繕いのための物が収容されるキャビネットは、鏡を備えていることがある。使用者は、鏡に映った自分の姿を見ながら、衣類、アクセサリー、又は鞄等を身に着け、或いは櫛又は化粧品等で身なりを整える。
【０００３】
ところで、特許文献１に開示されている表示装置付きミラーは、透明基板と表示装置とを備える。透明基板の一面の一部には鏡面膜が形成されている。表示装置は、透明基板の一面における鏡面膜が形成されていない部分に接合されている。表示装置付きミラーは、透明基板の他面が使用者に向くようにして、壁又は柱等に設けられる。すると、鏡面膜が形成されている部分は鏡として作用する。
【０００４】
例えば表示装置付きミラーが衣料品店の試着室に設けられる場合、試着室にはカメラ（撮像装置）が据え付けられてもよい。カメラは使用者の後ろ姿を撮像する。カメラが出力した画像は表示装置に表示される。使用者は、鏡に映った自分の前姿を視認する。また、使用者は、表示装置に表示された画像（即ち自分の後ろ姿）を視認する。
【先行技術文献】
【特許文献】
【０００５】
【特許文献１】特開２０１５−２３１４５４号公報
【発明の概要】
【発明が解決しようとする課題】
【０００６】
鏡に映った自分の後ろ姿を見ることは困難である。従って、従来のキャビネットは、鏡を備えていたとしても、自分の姿を見るという点で使い勝手が悪い。
特許文献１に開示されている表示装置付きミラーは、表示装置付きミラーの置き場所とカメラの置き場所とを夫々確保する必要があるので、不便である。
【０００７】
本発明は斯かる事情に鑑みてなされたものであり、その主たる目的は、使い勝手がよくて便利なキャビネット、洗面化粧台、及びコンピュータプログラムを提供することにある。
【課題を解決するための手段】
【０００８】
本実施の形態に係るキャビネットは、物品が収納されるキャビネットにおいて、開き戸又は折れ戸であり、被写体を撮像して画像を出力する撮像装置が配される第１扉と、開き戸又は折れ戸であり、前記撮像装置が出力した画像を表示する表示装置が配される第２扉とを備えることを特徴とする。
【０００９】
本実施の形態に係るキャビネットは、前記撮像装置は、前記第１扉及び前記第２扉が開いた場合に前記第１扉の前記第２扉に対向する面に配され、前記表示装置は、前記第１扉及び前記第２扉が開いた場合に前記第２扉の前記第１扉に対向する面に配されることを特徴とする。
【００１０】
本実施の形態に係るキャビネットは、前記第１扉及び前記第２扉は夫々開き戸であり、前記第１扉及び前記第２扉が開いた場合に前記第１扉及び前記第２扉夫々の裏側の面が対向することを特徴とする。
【００１１】
本実施の形態に係るキャビネットは、前記第１扉及び前記第２扉は夫々折れ戸であり、前記第１扉及び前記第２扉が開いた場合に前記第１扉及び前記第２扉夫々の一部の表側の面が対向することを特徴とする。
【００１２】
本実施の形態に係るキャビネットは、前記第１扉と前記第２扉との間に配された第３扉を更に備えることを特徴とする。
【００１３】
本実施の形態に係るキャビネットは、前記表示装置は、前記撮像装置が出力した画像を表示する表示パネルと、該表示パネルを覆うハーフミラーとを備えることを特徴とする。
【００１４】
本実施の形態に係るキャビネットは、前記撮像装置は、上下方向に移動可能に前記第１扉に取り付けられることを特徴とする。
【００１５】
本実施の形態に係るキャビネットは、前記撮像装置は、前記被写体を撮像して画像を出力する撮像部を有する携帯情報端末機であり、前記第１扉は、前記撮像装置を着脱可能に保持する保持部材を有することを特徴とする。
【００１６】
本実施の形態に係るキャビネットは、前記保持部材は、互いに接離可能であり、前記撮像装置を挟み持つ２つの保持片を有することを特徴とする。
【００１７】
本実施の形態に係るキャビネットは、前記保持部材は係合部を有し、前記第１扉には複数の被係合部が一方向に並設されており、前記係合部は前記被係合部に着脱可能に係合することを特徴とする。
【００１８】
本実施の形態に係るキャビネットは、前記保持部材は、長さ方向に伸縮可能な保持棒を有し、該保持棒の先端部にて前記撮像装置が保持され、前記保持棒の基端部は前記第１扉に取り付けられていることを特徴とする。
【００１９】
本実施の形態に係るキャビネットは、前記保持部材は、前記第１扉に取り付けられる取付部と、該取付部に対して相対的に回動可能であり、前記撮像装置が保持される保持部とを有することを特徴とする。
【００２０】
本実施の形態に係るキャビネットは、前記保持部材又は前記第１扉は、前記撮像装置に給電するための給電部を有することを特徴とする。
【００２１】
本実施の形態に係るキャビネットは、前記保持部材又は前記第１扉は、前記撮像装置に着脱可能に接続されるケーブルが着脱可能に接続されるコネクタを有することを特徴とする。
【００２２】
本実施の形態に係るキャビネットは、前記保持部材又は前記第１扉は、前記ケーブルが収容される収容部を有することを特徴とする。
【００２３】
本実施の形態に係るキャビネットは、前記表示装置は、表示パネルを有する携帯情報端末機であり、前記第２扉は、前記表示装置を着脱可能に保持する装置保持部材を有することを特徴とする。
【００２４】
本実施の形態に係るキャビネットは、前記表示装置は前記第２扉に固定されていることを特徴とする。
【００２５】
本実施の形態に係る洗面化粧台は、洗面台と、前記洗面台の後部上方に設けられているキャビネットとを備える洗面化粧台において、前記キャビネットは、本実施の形態に係るキャビネットであることを特徴とする。
【００２６】
本実施の形態に係るコンピュータプログラムは、キャビネットの第１扉に配されるコンピュータに、前記キャビネットの第２扉に配され、ハーフミラーに覆われた表示パネルを備える表示装置との通信を確立し、被写体の背面を撮像する撮像部が出力した画像を前記表示パネルに表示させるべく前記表示装置に送信する処理を実行させることを特徴とする。
【００２７】
本実施の形態に係るコンピュータプログラムは、前記コンピュータに、音声入力によりオフコマンドを受け付け、該オフコマンドを受け付けた場合に、前記ハーフミラー上に前記被写体の正面の像を顕示すべく前記画像の前記表示装置への送信を停止する処理を実行させることを特徴とする。
【００２８】
本実施の形態にあっては、キャビネットが備える第１扉に撮像装置が配され、第２扉に表示装置が配される。故に、撮像装置及び表示装置夫々の置き場所を確保する必要がないので、便利である。
撮像装置が出力した画像は、表示装置に表示される。
【００２９】
第１扉は開き戸又は折れ戸である。故に、使用者が第１扉を開閉方向に動かすことによって、第１扉に配されている撮像装置の位置及び向きを調整することができる。
第２扉は開き戸又は折れ戸である。故に、使用者が第２扉を開閉方向に動かすことによって、第２扉に配されている表示装置の位置及び向きを変更することができる。
使用者は、自分が所望する角度から見た自分の姿を撮像装置が撮像し、且つ、表示装置に表示された画像を見やすいように、撮像装置の位置及び向き、並びに表示装置の位置及び向きを適宜に調整する。そして、使用者は、表示装置に表示された画像（即ち自分が所望する角度から見た自分の姿）を視認する。
以上の結果、キャビネットは使い勝手がよい。
【００３０】
キャビネットは、例えば衣装箪笥、整理箪笥、又は下駄箱等の収納家具でもよく、洗面化粧台が備える収納棚でもよい。洗面化粧台は商用電源に接続される給電線を備えることが多いので、洗面化粧台が備える給電線を利用して、撮像装置又は表示装置に給電するよう洗面化粧台を構成することができる。
【００３１】
本実施の形態にあっては、第１扉及び第２扉夫々の互いに対向する面に、撮像装置及び表示装置が配される。
例えば第１扉及び第２扉が互いに平行に開かれている場合、使用者が表示装置に正対したとき、撮像装置は使用者の後ろ姿を撮像する。故に、使用者は、表示装置に表示された画像を見ることによって、自分の後ろ姿を見ることができる。
【００３２】
本実施の形態にあっては、第１扉及び第２扉が夫々開き戸である。撮像装置及び表示装置は、第１扉及び第２扉夫々の裏側の面に配される。故に、第１扉及び第２扉を閉じることによって、撮像装置及び表示装置を目隠しすることができる。
【００３３】
本実施の形態にあっては、第１扉及び第２扉が夫々折れ戸である。撮像装置及び表示装置は、第１扉及び第２扉夫々の表側の面に配される。故に、第１扉及び第２扉を閉じている場合でも、撮像装置及び表示装置夫々を有効利用することができる。
【００３４】
本実施の形態にあっては、キャビネットが３つ以上の扉を備える。第１扉と第２扉との間に第３扉が配されているので、第１扉に配される撮像装置と第２扉に配される表示装置との間の距離は長い。撮像装置と表示装置との間の距離が長い場合、撮像装置と表示装置との間の距離が短い場合よりも、撮像装置は広い範囲を撮像することができる。
【００３５】
本実施の形態にあっては、表示装置は表示パネルとハーフミラーとを備える。ハーフミラーは表示パネルを覆っている。
故に、例えば透過型の表示パネルをバックライトが照明している場合、又は自発光型の表示パネルが発光している場合、使用者は、表示パネルに表示された画像を見ることができる。一方、透過型の表示パネルをバックライトが照明していない場合、又は自発光型の表示パネルが発光していない場合、使用者は、ハーフミラーに映った自分の像を見ることができる。
【００３６】
本実施の形態にあっては、撮像装置が上下方向に移動可能なので、例えば使用者の身長に合わせて、撮像装置の上下方向の位置を調整することができる。
【００３７】
本実施の形態にあっては、第１扉が有する保持部材に撮像装置が保持される。
撮像装置は保持部材に対して着脱可能である。故に、撮像装置に不具合が生じた場合の撮像装置の交換が容易である。
キャビネットに配される撮像装置として、使用者が所有している携帯情報端末機を用いることができる。故に、キャビネットの製造コストを低減することができる。また、保持部材を、携帯情報端末機の置き場所として利用することができる。
【００３８】
本実施の形態にあっては、保持部材が２つの保持片を有する。２つの保持片は撮像装置を挟み持つ。２つの保持片間の距離を調整することによって、異なるサイズの撮像装置（又は、向きを変えた撮像装置）を保持することができる。
【００３９】
本実施の形態にあっては、第１扉に、複数の被係合部が一方向に並設されている。保持部材が有する係合部は、被係合部に係合する。
係合部は被係合部に対して着脱可能である。故に、係合部が係合する被係合部を変更することによって、撮像装置の一方向の位置を変更することができる。
【００４０】
本実施の形態にあっては、保持部材が有する保持棒の基端部が第１扉に取り付けられている。撮像装置は保持棒の先端部にて保持される。
保持棒は保持棒の長さ方向に伸縮可能である。故に、保持棒を伸縮させることによって、撮像装置の位置を保持棒の長さ方向に変更することができる。
【００４１】
本実施の形態にあっては、保持部材が有する取付部が第１扉に取り付けられる。撮像装置は、保持部材が有する保持部にて保持される。
保持部は取付部に対して相対的に回動可能なので、保持部材に保持された撮像装置を回動させることによって、撮像装置の位置及び向きを調整することができる。
【００４２】
本実施の形態にあっては、保持部材又は第１扉が有する給電部によって、保持部材に保持された撮像装置に給電することができる。
【００４３】
本実施の形態にあっては、保持部材又は第１扉が有するコネクタ、及び撮像装置夫々に、ケーブルが接続される。
ケーブルはコネクタ及び撮像装置夫々に対して着脱可能である。故に、ケーブルに不具合が生じた場合のケーブルの交換が容易である。
【００４４】
本実施の形態にあっては、保持部材又は第１扉が有する収容部に、ケーブルが収容される。故に、放置されたケーブルによって美観が損なわれることを防止することができる。また、ケーブルの遺失を防止することができる。
【００４５】
本実施の形態にあっては、第２扉が有する装置保持部材に表示装置が保持される。
表示装置は装置保持部材に対して着脱可能である。故に、表示装置に不具合が生じた場合の表示装置の交換が容易である。
キャビネットに配される表示装置として、使用者が所有している携帯情報端末機を用いることができる。故に、キャビネットの製造コストを低減することができる。また、装置保持部材を、携帯情報端末機の置き場所として利用することができる。
【００４６】
本実施の形態にあっては、表示装置が第２扉に固定されている。即ち、表示装置は取り外されることがない。故に、大型の表示装置を用いることができる。
【００４７】
本実施の形態にあっては、コンピュータがキャビネットの第１扉に配される。また、表示装置がキャビネットの第２扉に配される。故に、コンピュータ及び表示装置夫々の置き場所を確保する必要がないので、便利である。
撮像部が出力した画像（即ち被写体の背面の画像）は、表示装置の表示パネルに表示される。故に、被写体である使用者は、自分の後ろ姿を見ることができる。
以上の結果、本実施の形態に係るコンピュータプログラムをインストールしてあるコンピュータは、使い勝手がよいキャビネットを実現することができる。
【００４８】
本実施の形態にあっては、使用者が、音声入力によってコンピュータにオフコマンドを与えることができるので、便利である。
オフコマンドが与えられた場合、撮像部が出力した画像は表示装置に送信されない。
表示装置において、例えば透過型の表示パネルをバックライトが照明していない場合、又は自発光型の表示パネルが発光していない場合、ハーフミラーに映った被写体の正面の像が顕示される（使用者に見える）。
【発明の効果】
【００４９】
本実施の形態のキャビネット、洗面化粧台、及びコンピュータプログラムは、使い勝手がよくて便利である。
【図面の簡単な説明】
【００５０】
【図１】実施の形態１に係るキャビネットを示す斜視図である。
【図２】キャビネットを示す他の斜視図である。
【図３】キャビネットを模式的に示す平面図である。
【図４】キャビネットの制御系の構成を示すブロック図である。
【図５】ハーフミラーに映る像の一例を示す模式図である。
【図６】表示パネルに表示される動画像の一例を示す模式図である。
【図７】実施の形態２に係るキャビネットを示す斜視図である。
【図８】キャビネットを模式的に示す平面図である。
【図９】実施の形態３に係るキャビネットを示す斜視図である。
【図１０】キャビネットを模式的に示す平面図である。
【図１１】実施の形態４に係るキャビネットが備える第１扉の裏面を示す正面図である。
【図１２】第１扉における保持部材の近傍を示す正面図である。
【図１３】保持部材を示す斜視図である。
【図１４】キャビネットの制御系の構成を示すブロック図である。
【図１５】実施の形態５に係るキャビネットが備える第２扉の裏面を示す正面図である。
【図１６】第２扉における装置保持部材の近傍を示す正面図である。
【図１７】キャビネットの制御系の構成を示すブロック図である。
【図１８】実施の形態６に係るキャビネットが備える第１扉の裏面を示す正面図である。
【図１９】保持部材を示す斜視図である。
【図２０】キャビネットを模式的に示す平面図である。
【図２１】実施の形態７に係るキャビネットが備える第１扉の裏面を示す正面図である。
【図２２】保持部材を示す斜視図である。
【図２３】実施の形態８に係るキャビネットで実行される画像送信処理の手順を示すフローチャートである。
【図２４】実施の形態９に係る洗面化粧台を示す斜視図である。
【図２５】第１扉の裏面を示す正面図である。
【図２６】洗面化粧台を模式的に示す平面図である。
【発明を実施するための形態】
【００５１】
以下、本発明を、その実施の形態を示す図面に基づいて詳述する。
【００５２】
実施の形態  １．
図１は、実施の形態１に係るキャビネットを示す斜視図である。
図２は、キャビネットを示す他の斜視図である。
図中１はキャビネットであり、キャビネット１は、キャビネット本体１０、第１扉１１、及び第２扉１２を備える。図１に示すキャビネット１においては、第１扉１１及び第２扉１２夫々は閉じられている。図２に示すキャビネット１においては、第１扉１１及び第２扉１２夫々は開かれている。
【００５３】
キャビネット本体１０は矩形箱であり、一方向に長い。キャビネット本体１０の長手方向に沿う一面は、全面的に開口している。キャビネット本体１０は、長手方向が上下に延び、キャビネット本体１０の開口が前に向くようにして、床面上に載置される。図１及び図２には、キャビネット本体１０の天板１０ａ、向かって左側の側板１０ｂ、向かって右側の側板１０ｃ、及び背板１０ｄが示されている。天板１０ａ、側板１０ｂ，１０ｃ、及び背板１０ｄ夫々は矩形板である。
【００５４】
キャビネット本体１０は仕切り板１０１を備える。仕切り板１０１は矩形板である。仕切り板１０１の３辺は、仕切り板１０１が天板１０ａに平行になるようにして、側板１０ｂ，１０ｃ及び背板１０ｄに取り付けられている。仕切り板１０１は、キャビネット本体１０の内部を上下２つの空間に仕切っている。仕切り板１０１の位置は、天板１０ａよりもキャビネット本体１０の底板に近い。
キャビネット本体１０は上下２段の抽斗１０２，１０２を備える。抽斗１０２，１０２は、仕切り板１０１の下側の空間に収容されている。
キャビネット本体１０はハンガーポール１０３を備える。ハンガーポール１０３は直棒である。ハンガーポール１０３の両端は、ハンガーポール１０３が天板１０ａに平行になるようにして、側板１０ｂ，１０ｃに取り付けられている。
【００５５】
第１扉１１は、上下方向に長い矩形の開き戸であり、ヒンジ１１０，１１０を介して、側板１０ｂに連結されている。第１扉１１は、キャビネット本体１０の天板１０ａ、側板１０ｂ，１０ｃ、及び仕切り板１０１に囲まれた開口の左半分を開閉する。第１扉１１の裏面１１ａは、第１扉１１が閉じられている場合にキャビネット本体１０の背板１０ｄに対向する。第１扉１１は中空である（例えばフラッシュ構造である）。なお、キャビネット１は、第１扉１１とキャビネット本体１０とがヒンジ１１０，１１０を介して連結されている構成に限定されものではない。例えば、第１扉１１は枢戸でもよい。
第２扉１２は、第１扉１１と同様の開き戸である。第２扉１２は、ヒンジ１２０，１２０を介して側板１０ｃに連結されており、開口の右半分を開閉する。第２扉１２の裏面１２ａは、第２扉１２が閉じられている場合に背板１０ｄに対向する。
以下では、第１扉１１の短辺に沿う方向を扉短辺方向という。
【００５６】
図３は、キャビネット１を模式的に示す平面図である。ただし、図３におけるキャビネット本体１０の天板１０ａの図示は省略している。
第１扉１１及び第２扉１２が、互いに平行になるように開けられた場合、第１扉１１の裏面１１ａと第２扉１２の裏面１２ａとは対面する。裏面１１ａ，１２ａ間には、使用者が入ることができる空間が形成される。
【００５７】
図１〜図３に示すように、キャビネット１は撮像装置１３、表示装置１４、及びケーブル１５を備える。
撮像装置１３はデジタルカメラである。撮像装置１３は、被写体を撮像することによって生成した被写体の動画像を出力する。撮像装置１３として、例えば一般的な小型カメラを用いることができる。
撮像装置１３は第１扉１１の裏面１１ａに配されている。撮像装置１３のレンズは裏面１１ａ側の逆側に向いている。撮像装置１３は、例えばブラケットを用いて第１扉１１に固定されている。
【００５８】
図４は、キャビネット１の制御系の構成を示すブロック図である。
表示装置１４は、表示パネル１４１、バックライト１４２、ハーフミラー１４３、及びＩ／Ｆ（インタフェース）１４４を備える。
表示パネル１４１は透過型の表示パネル（例えば液晶表示パネル）である。表示パネル１４１に入力された動画像は、表示パネル１４１の表示面に表示される。
バックライト１４２は、表示パネル１４１の表示面の裏側から表示パネル１４１を照明する。
【００５９】
表示パネル１４１の表示面は、フィルム状のハーフミラー１４３によって覆われている。バックライト１４２がオンである（表示パネル１４１を照明している）場合、バックライト１４２が発した光はハーフミラー１４３を透過する。すると、表示パネル１４１に表示された動画像が見える。バックライト１４２がオフである（表示パネル１４１を照明していない）場合、ハーフミラー１４３に映った像が見える。
【００６０】
図１〜図３に示すように、表示装置１４は第２扉１２の裏面１２ａに配されている。表示装置１４の表示パネル１４１は裏面１２ａの逆側に向いている。表示装置１４は、例えばブラケットを用いて第２扉１２に固定されている。即ち、表示装置１４は取り外されることがない。故に、大型の（例えば姿見と同程度のサイズの）表示装置１４を用いることができる。
表示装置１４は、図示しない給電線を介して商用電源から給電される。給電線は、第２扉１２の内部を通って、表示装置１４に接続されている。なお、表示装置１４はバッテリを内蔵していてもよく、内蔵のバッテリから給電されてもよい。
【００６１】
ケーブル１５は、通信線及び給電線を内蔵している。
図２及び図４に示すように、ケーブル１５の一端部は、第１扉１１の内部を通って、撮像装置１３に接続されている。ケーブル１５の他端部は、第２扉１２の内部を通って、表示装置１４のＩ／Ｆ１４４に接続されている。ケーブル１５は、第１扉１１の裏面１１ａに設けられた貫通孔を通って、第１扉１１の内部から引き出されている。同様に、ケーブル１５は、第２扉１２の裏面１２ａに設けられた貫通孔を通って、第２扉１２の内部から引き出されている。
ケーブル１５の中途は、天板１０ａの下面に固定されている。なお、天板１０ａに幕板を設けてケーブル１５を目隠ししてもよい。天板１０ａに設けられた幕板は、第１扉１１及び第２扉１２夫々の戸当たりと兼用でもよい。
【００６２】
撮像装置１３は、ケーブル１５の通信線を介して表示装置１４に動画像を出力する。また、撮像装置１３は、ケーブル１５の給電線を介して表示装置１４から給電される。なお、撮像装置１３は商用電源から直接的に給電されてもよい。撮像装置１３はバッテリを内蔵していてもよく、内蔵のバッテリから給電されてもよい。
【００６３】
図４に示すように、表示装置１４は、制御部１４５、画像処理部１４６、及び操作部１４７を備える。
制御部１４５はＣＰＵを備える。制御部１４５は、表示パネル１４１、バックライト１４２、Ｉ／Ｆ１４４、画像処理部１４６、及び操作部１４７夫々にバスを介して接続されている。制御部１４５は、表示装置１４の各部の動作を制御する。
撮像装置１３が出力した動画像は、表示装置１４に入力される。画像処理部１４６は、表示装置１４に入力された動画像に所定の画像処理を施す。画像処理部１４６による画像処理は、例えば表示装置１４に入力された動画像の歪みを補正する処理である。画像処理が施された動画像は、表示パネル１４１に入力され、表示パネル１４１の表示面に表示される。
【００６４】
操作部１４７は、例えば表示パネル１４１の近傍に設けられたハードウェアキーである（図２参照）。使用者は、操作部１４７に触れることによって操作部１４７を操作する。操作部１４７が操作される都度、制御部１４５は、バックライト１４２のオンとオフとを切り替える。なお、操作部１４７はソフトウェアキーでもよい。
【００６５】
以上のようなキャビネット１は収納家具であり、例えば衣装箪笥である。抽斗１０２には、例えば折り畳んだ衣類が収納される。仕切り板１０１の上側の空間には、例えばハンガーに吊り下げられた衣類、及び鞄が収納される。ハンガーはハンガーポール１０３に掛止される。鞄は仕切り板１０１に載置される。
【００６６】
使用者は、第１扉１１及び第２扉１２を開けて、例えば背負い鞄を取り出し、背負う。
また、使用者は、図３に示すように、第１扉１１及び第２扉１２が互いに平行になるように第１扉１１及び第２扉１２夫々の向きを調整する。次に、使用者は、表示装置１４に向かって立つ。すると、使用者の背面が撮像装置１３に向く。
【００６７】
図５は、ハーフミラー１４３に映る像の一例を示す模式図である。
表示装置１４のバックライト１４２がオフの場合、ハーフミラー１４３に使用者の前姿が映る。
使用者は、第２扉１２を開閉方向に動かすことによって、ハーフミラー１４３の位置及び向きを調整することができる（図３参照）。
使用者は、ハーフミラー１４３に映った自分の姿を見ながら身なりを整える。
次に、使用者は、操作部１４７を操作する。すると、バックライト１４２がオンになる。
【００６８】
図６は、表示パネル１４１に表示される動画像の一例を示す模式図である。
使用者の背面が撮像装置１３に向いているので、撮像装置１３は使用者の後ろ姿を撮像する。撮像装置１３が出力した動画像は表示パネル１４１に表示される。
使用者は、第１扉１１を開閉方向に動かすことによって、撮像装置１３の位置及び向きを調整することができる。また、使用者は、第２扉１２を開閉方向に動かすことによって、表示パネル１４１の位置及び向きを調整することができる。
使用者は、自分が所望する角度から見た自分の姿を撮像装置１３が撮像し、且つ、表示パネル１４１に表示された動画像を見やすいように、撮像装置１３の位置及び向き、並びに表示パネル１４１の位置及び向きを適宜に調整する。そして、使用者は、表示パネル１４１に表示された動画像（即ち自分が所望する角度から見た自分の姿。例えば自分の後ろ姿）を見ながら身なりを整える。
【００６９】
キャビネット１には、使用者が身に着ける物が収容される。しかも、キャビネット１に、使用者を撮像して動画像を出力する撮像装置１３と、撮像装置１３が出力した動画像を表示する表示装置１４とが備えられている。故に、キャビネット１の置き場所とは別に、撮像装置１３及び表示装置１４夫々の置き場所を確保する必要がない。
また、第１扉１１及び第２扉１２を閉じることによって、撮像装置１３及び表示装置１４を目隠しすることができる。
以上の結果、キャビネット１は使い勝手がよくて便利である。
本実施の形態では、撮像装置１３と表示装置１４とが互いに有線接続されている。有線接続の場合、無線接続の場合よりもキャビネット１を安価に製造することができる。
【００７０】
なお、撮像装置１３と表示装置１４とは、互いに無線接続（例えばＢｌｕｅｔｏｏｔｈ（登録商標）接続又はＷｉ−Ｆｉ（登録商標）接続）されてもよい。無線接続の場合、ケーブル１５をキャビネット１に配線する必要がないので、キャビネット１を簡易に製造することができる。
【００７１】
表示装置１４は、表示パネル１４１に表示された動画像を記憶する記憶部を備えていてもよい。記憶部に記憶された動画像は、例えば使用者が操作部１４７を用いて所定の操作を行なった場合に、表示パネル１４１に表示される。記憶部には、動画像から生成された静止画像が記憶されてもよい。
【００７２】
表示装置１４は、表示パネル１４１及びバックライト１４２に替えて、自発光型の表示パネルを備えていてもよい。操作部１４７が操作される都度、制御部１４５は、表示パネルのオンとオフとを切り替える。表示パネルがオンである場合、表示パネルが発した光はハーフミラー１４３を透過する。すると、表示パネルに表示された動画像が見える。表示パネルがオフである場合、ハーフミラー１４３に映った像が見える。
【００７３】
第１扉１１は中空なので、撮像装置１３は、撮像装置１３のレンズが露出するようにして、第１扉１１に埋設されていてもよい。
第２扉１２は中空なので、表示装置１４は、ハーフミラー１４３及び操作部１４７が露出するようにして、第２扉１２に埋設されていてもよい。
第１扉１１及び第２扉１２夫々が中実である（例えばベタ芯構造である）場合、ケーブル１５は、例えば第１扉１１の裏面１１ａ及び第２扉１２の裏面１２ａ夫々に形成された溝を通って配線される。第１扉１１及び第２扉１２夫々の溝及びケーブル１５は、化粧材で目隠しされる。
【００７４】
キャビネット１は衣装箪笥に限定されず、例えば整理箪笥又は靴箱でもよい。
キャビネット１は移動可能でもよく、壁又は床に固定されていてもよい。
キャビネット１は作り付けでもよい。
キャビネット本体１０は、仕切り板１０１、抽斗１０２，１０２、及びハンガーポール１０３を備えていなくてもよい。
第１扉１１の裏面１１ａ（第２扉１２の裏面１２ａ）に、物品を載置するトレイ、又は物品を掛止するフック等が、撮像装置１３（表示装置１４）に干渉しないようにして設けられていてもよい。
キャビネット１は、第１扉１１の左側又は第２扉１２の右側に配された扉を更に備えていてもよい。
【００７５】
本実施の形態においては、撮像装置１３が第１扉１１の定位置に固定されているので、キャビネット１の構成が簡易である。しかしながら、撮像装置１３の上下方向の位置が調整可能であってもよい。
例えば、撮像装置１３が係合部を有し、第１扉１１に複数の被係合部が上下方向に並設される。係合部は被係合部に着脱可能に係合する。使用者は、例えば自分の身長に合わせて、撮像装置１３の係合部を第１扉１１の適宜の被係合部に係合させる。
【００７６】
第１扉１１の裏面１１ａを有孔ボードで覆うことによって、第１扉１１に複数の被係合部を容易に並設することができる。この場合、被係合部は有孔ボードの孔である。撮像装置１３は、係合部として、例えば有孔ボードの孔に掛止されるフックを有する。
或いは、第１扉１１の裏面１１ａをワイヤーネットで覆うことによって、第１扉１１に複数の被係合部を容易に並設することができる。この場合、被係合部は扉短辺方向に延びるワイヤーである。撮像装置１３は、係合部として、例えばワイヤーに掛止されるフックを有する。
撮像装置１３の係合部は、例えばハンガーポール１０３又はハンガーポール１０３に係止されたハンガーに係合可能でもよい。
【００７７】
撮像装置１３は、上下方向に伸縮可能なポールの先端に取り付けられており、ポールの基端が第１扉１１に固定されていてもよい。
また、撮像装置１３と第１扉１１とが、例えばフレキシブルアームを介して連結されていてもよい。この場合、フレキシブルアームを曲げ伸ばしすることによって、撮像装置１３の位置及び向きを調整することができる。
【００７８】
撮像装置１３は、撮像装置１３の動作を制御する制御部と、使用者によって操作される操作部とを備えていてもよい。撮像装置１３の制御部は、表示装置１４の動作を制御可能であってもよい。
表示装置１４の制御部１４５は、撮像装置１３の動作を制御可能であってもよい。
キャビネット１は、撮像装置１３及び表示装置１４とは別に、撮像装置１３及び表示装置１４夫々の動作を制御する制御部を備えていてもよい。キャビネット１は、撮像装置１３及び表示装置１４とは別に、操作部を備えていてもよい。
【００７９】
使用者は主に表示装置１４の方を向いているので、使用者が接触することによって操作される操作部は、表示装置１４又は第１扉１１に設けられていることが望ましい。
操作部はマイクを有し、使用者が発する音声による操作を受け付けてもよい。
操作部は、目線の動き又は手足の動き等による操作を受け付けてもよい。例えば、使用者が所定位置を見る都度、又は所定方向に腕を振る都度、制御部１４５は、バックライト１４２のオンとオフとを切り替える。或いは、使用者が表示装置１４に近づくほど、拡大された画像が表示パネル１４１に表示されてもよい。この場合、画像処理部１４６は、使用者と表示装置１４との間の距離に応じた倍率で動画像が拡大（又は縮小）されるように、動画像に画像処理を施す。
【００８０】
本実施の形態では操作部１４７が操作される都度、バックライト１４２のオンとオフとが切り替えられるが、これに限定されるものではない。例えば、バックライト１４２のオンとオフとが所定の時間間隔で切り替えられてもよい。バックライト１４２のオンとオフとが切り替わる時間間隔は、制御部１４５に所与であってもよく、使用者が操作部１４７を操作して設定可能であってもよい。
【００８１】
操作部１４７が操作される都度、表示装置１４のオンとオフとが切り替えられてもよい。表示装置１４のオンとオフとの切り替えと同時的に、撮像装置１３のオンとオフとが切り替えられてもよい。
撮像装置１３及び表示装置１４は、第１扉１１及び第２扉１２の開閉と連動してオンとオフとが切り替えられてもよい。
【００８２】
次に、実施の形態２〜４を説明する。実施の形態２〜４のキャビネット１は、実施の形態１のキャビネット１と略同様の構成である。実施の形態２〜４のキャビネット１は、実施の形態１のキャビネット１の作用効果と略同様の作用効果を奏する。以下では、実施の形態１との差異について説明し、その他、実施の形態１と同一の構成要素には同一の符号を付してそれらの説明を省略する。
【００８３】
実施の形態  ２．
図７は、実施の形態２に係るキャビネット１を示す斜視図である。
本実施の形態におけるキャビネット本体１０は、仕切り板１０１及び抽斗１０２，１０２を備えていない。
第１扉１１は折れ戸であり、２枚の矩形戸１１１，１１２を有する。矩形戸１１１，１１２は、折り畳み可能にヒンジ結合されている。矩形戸１１１は、ヒンジ１１０，１１０を介して、側板１０ｂに連結されている。矩形戸１１１，１１２が折り畳まれた場合、矩形戸１１１，１１２夫々の裏面が互いに対向し、第１扉１１が開く。矩形戸１１１，１１２が開かれた場合、第１扉１１が閉じる。第１扉１１は、キャビネット本体１０の天板１０ａ、側板１０ｂ，１０ｃ、及び底板１０ｅに囲まれた開口の左半分を開閉する。
【００８４】
同様に、第２扉１２は折れ戸であり、２枚の矩形戸１２１，１２２を有する。矩形戸１２１，１２２は、折り畳み可能にヒンジ結合されている。矩形戸１２１は、ヒンジ１２０，１２０を介して、側板１０ｃに連結されている。矩形戸１２１，１２２が折り畳まれた場合、第２扉１２が開く。矩形戸１２１，１２２が開かれた場合、第２扉１２が閉じる。第２扉１２は、キャビネット本体１０の天板１０ａ、側板１０ｂ，１０ｃ、及び底板１０ｅに囲まれた開口の右半分を開閉する。
【００８５】
図８は、キャビネット１を模式的に示す平面図である。ただし、図８におけるキャビネット本体１０の天板１０ａの図示は省略している。
第１扉１１及び第２扉１２が、互いに平行になるように開けられた場合、第１扉１１の矩形戸１１２の表面１１ｂと第２扉１２の矩形戸１２２の表面１２ｂとが対面する。表面１１ｂ，１２ｂ間には、使用者が入ることができる空間が形成される。
【００８６】
図７及び図８に示すように、撮像装置１３は第１扉１１の矩形戸１１２の表面１１ｂに配されている。撮像装置１３のレンズは表面１１ｂの逆側に向いている。表示装置１４は第２扉１２の矩形戸１２２の表面１２ｂに配されている。表示装置１４の表示パネル１４１は表面１２ｂの逆側に向いている。
【００８７】
以上のようなキャビネット１は、実施の形態１のキャビネット１と同様に用いられる。この結果、使用者は、ハーフミラー１４３に映った自分の姿、又は表示パネル１４１に表示された動画像（即ち撮像装置１３によって撮像された自分の姿）を見ることができる。
【００８８】
ただし、本実施の形態のキャビネット１の場合、第１扉１１及び第２扉１２を閉じることによって撮像装置１３及び表示装置１４を目隠しすることはできない。しかしながら、常に露出している撮像装置１３及び表示装置１４夫々を、別の用途に有効利用することができる。
例えば、撮像装置１３は、防犯又は居住者の見守りのための監視カメラとして用いることができる。撮像装置１３は、時計又は美術品等に偽装されていてもよい。
表示装置１４は、撮像装置１３が出力した動画像以外の画像を表示するための装置として用いることができる。例えば、第１扉１１及び第２扉１２が閉じられている場合、表示パネル１４１に、予め表示装置１４に与えられている美的な画像、又は外部から受信した情報（ニュース、天気予報等）を含む画像が表示される。
【００８９】
実施の形態１，２において、第１扉１１及び第２扉１２は開き戸同士、又は折れ戸同士に限定されない。例えば第１扉１１及び第２扉１２の一方が開き戸で、他方が折れ戸であってもよい。
撮像装置１３及び表示装置１４は、一方が扉の表面に配され、他方が扉の裏面に配されてもよい。
【００９０】
実施の形態  ３．
図９は、実施の形態３に係るキャビネット１を示す斜視図である。
図１０は、キャビネット１を模式的に示す平面図である。ただし、図１０におけるキャビネット本体１０の天板１０ａの図示は省略している。
キャビネット本体１０は仕切り板１０４を備える。
仕切り板１０４は矩形板である。仕切り板１０４の３辺は、仕切り板１０４が側板１０ｂ，１０ｃ夫々に平行になるようにして、天板１０ａ、背板１０ｄ、及び仕切り板１０１に取り付けられている。仕切り板１０４は、キャビネット本体１０の内部を左右２つの空間に仕切っている。仕切り板１０４の左側の空間は、仕切り板１０４の右側の空間よりも、左右方向に狭い。
【００９１】
キャビネット本体１０は、２本のハンガーポール１０３，１０５を備える。
ハンガーポール１０３の両端は、ハンガーポール１０３が天板１０ａに平行になるようにして、仕切り板１０４及び側板１０ｃに取り付けられている。
ハンガーポール１０５はハンガーポール１０３よりも短い。ハンガーポール１０５の両端は、ハンガーポール１０５が天板１０ａに平行になるようにして、側板１０ｂ及び仕切り板１０４に取り付けられている。
【００９２】
本実施の形態における第１扉１１は、キャビネット本体１０の天板１０ａ、側板１０ｂ、仕切り板１０４、及び仕切り板１０１に囲まれた開口を開閉する。一方、第２扉１２は、キャビネット本体１０の天板１０ａ、仕切り板１０４、側板１０ｃ、及び仕切り板１０１に囲まれた開口の右半分を開閉する。
【００９３】
キャビネット１は第３扉１７を備える。
第３扉１７は矩形の開き戸であり、仕切り板１０４にヒンジ結合されている。第３扉１７は、キャビネット本体１０の天板１０ａ、仕切り板１０４、側板１０ｃ、及び仕切り板１０１に囲まれた開口の左半分を開閉する。つまり、第３扉１７は第１扉１１と第２扉１２との間に配されている。
なお、第１扉１１と第２扉１２との間に複数枚の第３扉１７，１７，…が配されていてもよい。第３扉１７は開き戸に限定されず、折れ戸又は引き戸等でもよい。
【００９４】
以上のようなキャビネット１は、実施の形態１のキャビネット１と同様に用いられる。この結果、使用者は、ハーフミラー１４３に映った自分の姿、又は表示パネル１４１に表示された動画像（即ち撮像装置１３によって撮像された自分の姿）を見ることができる。
しかも、本実施の形態のキャビネット１の場合、実施の形態１のキャビネット１の場合よりも、第１扉１１及び第２扉１２の間の距離が長い。故に、撮像装置１３は、より広い範囲を撮像することができる。
【００９５】
実施の形態  ４．
図１１は、実施の形態４に係るキャビネット１が備える第１扉１１の裏面１１ａを示す正面図である。
実施の形態１〜３のキャビネット１には、キャビネット１が工場から出荷される前に、撮像装置１３が備えられる。
一方、本実施の形態のキャビネット１は、撮像装置１３が備えられることなく、工場から出荷される。使用者は、自分が所有している携帯情報端末機をキャビネット１に取り付ける。このために、第１扉１１は、携帯情報端末機を着脱可能に保持する保持部材３を備える。
【００９６】
図１２は、第１扉１１における保持部材３の近傍を示す正面図である。
図１３は、保持部材３を示す斜視図である。
図１１〜図１３に示すように、保持部材３は、２つの支持部材３１，３１と２つの保持片３２，３３とを備える。
各支持部材３１は、矩形断面を有する棒材である。支持部材３１には長孔３１１が設けられている。長孔３１１は、支持部材３１の長手方向に長い。
保持片３２，３３夫々は、矩形断面を有する棒材である。
【００９７】
支持部材３１，３１及び保持片３２，３３は、井桁状に組まれている。保持部材３は、各支持部材３１が上下方向に延びるようにして、第１扉１１に取り付けられる。支持部材３１，３１は互いに平行であり、扉短辺方向に適長離隔して対向する。長孔３１１の深さ方向は前後方向に沿う。保持片３２，３３夫々は扉短辺方向に延びる。保持片３２，３３は互いに平行であり、支持部材３１，３１の前側にて上下方向に対向する。
保持片３２は、支持部材３１，３１夫々に固定（例えば接着又は溶接）されている。
【００９８】
保持片３３は、保持片３２に接離可能であるようにして支持部材３１，３１に取り付けられている。例えば、保持片３３は、ボルト３４，３４及び蝶ナット３５，３５を用いて支持部材３１，３１に締結される。各ボルト３４は、支持部材３１の長孔３１１と保持片３２に形成されている貫通孔とを後側からこの順に貫通している。蝶ナット３５は、保持片３３の前側からボルト３４に取り付けられている。蝶ナット３５，３５夫々が緩められている場合、ボルト３４，３４が長孔３１１，３１１に案内されて上下方向に移動可能なので、保持片３３が保持片３２に接離可能である。蝶ナット３５，３５夫々が締められた場合、保持片３３は支持部材３１，３１に固定される。
【００９９】
以下では、保持部材３に保持される携帯情報端末機として、スマートフォン２１を例示する。
図１２に示すスマートフォン２１は、一方向に長い矩形板状をなす。スマートフォン２１は、撮像部２１１及びＩ／Ｆ２１２を備える。
撮像部２１１はスマートフォンの一面に設けられている。撮像部２１１は被写体を撮像して動画像を出力する。撮像部２１１はオートフォーカス機能を有していることが望ましい。撮像部２１１は、いわゆるアウトサイドカメラである。なお、撮像部２１１はインサイドカメラでもよい。
Ｉ／Ｆ２１２はスマートフォン２１の短辺部に設けられている。Ｉ／Ｆ２１２は、通信・充電両用の端子（例えばＵＳＢ端子）である。
【０１００】
スマートフォン２１は、保持片３２，３３の間にて、長手方向が扉短辺方向に延びるようにして、保持片３２の上面に載置される。スマートフォン２１の、撮像部２１１が設けられていない面は、支持部材３１，３１に接触する。保持片３３が保持片３２に接近し、蝶ナット３５，３５夫々が締められることによって、スマートフォン２１は、保持片３２，３３に挟み持たれる。
【０１０１】
ケーブル４１は、通信線及び給電線を内蔵している。ケーブル４１の一方の端子４１１は、スマートフォン２１のＩ／Ｆ２１２に接続される。保持片３２，３３はスマートフォン２１の下側及び上側にあり、支持部材３１，３１は保持片３２，３３の後側にあるので、保持部材３がスマートフォン２１とケーブル４１との接続を阻害することはない。
【０１０２】
蝶ナット３５，３５が再び緩められれば、スマートフォン２１の取り外しは容易である。また、保持片３２，３３間の距離を調整することによって、異なるサイズのスマートフォン２１、又は縦向きのスマートフォン２１を保持することができる。
【０１０３】
保持片３２の中途には溝３２１が設けられている。溝３２１は上下に延びている。縦向きのスマートフォン２１は、Ｉ／Ｆ２１２が溝３２１の上端に連通するよう保持部材３に保持される。ケーブル４１の端子４１１は、溝３２１の下端から溝３２１に挿入されて、Ｉ／Ｆ２１２に接続される。
【０１０４】
支持部材３１，３１夫々の上端部には係合部３１２，３１２が設けられている。係合部３１２は、例えばフックである。
第１扉１１には、被係合部１１３，１１３，…が設けられている。各被係合部１１３は、例えば有孔ボードの孔であり、有孔ボードは第１扉１１の裏面１１ａを覆うようにして第１扉１１に取り付けられている。なお、被係合部１１３は、有孔ボードの孔に限定されず、例えば第１扉１１の裏面１１ａに直接的に形成された穴でもよい。
【０１０５】
保持部材３の係合部３１２は、第１扉１１の被係合部１１３に着脱可能に係合する。この結果、保持部材３は着脱可能に第１扉１１に取り付けられる。係合部３１２と被係合部１１３との係合を解除することによって、保持部材３を第１扉１１から取り外すことができる。係合部３１２が係合する被係合部１１３を変更すれば、保持部材３に保持されたスマートフォン２１の位置を変更することができる。具体的には、床面からの高さが異なる被係合部１１３に係合部３１２を係合させれば、保持部材３に保持されたスマートフォン２１の上下方向の位置を変更することができる。
【０１０６】
第１扉１１は、コネクタ１５１を備える。
コネクタ１５１は、第１扉１１の裏面１１ａに開口している凹部に嵌め込まれている。コネクタ１５１にはケーブル４１の他方の端子４１２が接続される。
ケーブル４１はコネクタ１５１及びスマートフォン２１夫々に対して着脱可能である。故に、ケーブル４１に不具合が生じた場合のケーブル４１の交換が容易である。
【０１０７】
第１扉１１は、収容部１１４を備える。収容部１１４はコネクタ１５１の近傍に設けられている。収容部１１４には、少なくともスマートフォン２１から取り外されたケーブル４１が収容される。故に、スマートフォン２１から取り外されて放置されたケーブル４１によってキャビネット１の美観が損なわれることを防止することができる。また、スマートフォン２１及びコネクタ１５１夫々から取り外されたケーブル４１の遺失を防止することができる。
収容部１１４は、例えば第１扉１１の裏面１１ａに吊り下げられたウォールポケットである。なお、収容部１１４はウォールポケットに限定されず、例えば、第１扉１１に固定されたトレイ又は蓋付きの箱でもよい。また、収容部１１４は第１扉１１に形成された凹部でもよい。
【０１０８】
図１４は、キャビネット１の制御系の構成を示すブロック図である。
コネクタ１５１は、ケーブル１５の一端部に設けられている。ケーブル１５の他端部は、表示装置１４のＩ／Ｆ１４４に接続されている。スマートフォン２１は、ケーブル４１，１５を介して表示装置１４から給電される。コネクタ１５１は第１扉１１が有する給電部として機能する。
【０１０９】
スマートフォン２１はバッテリ２１０を備える。スマートフォン２１が表示装置１４から給電されている場合、バッテリ２１０は充電される。
スマートフォン２１は制御部２１３、画像処理部２１４、及び操作部２１５を備える。
制御部２１３はＣＰＵを備える。制御部２１３は、撮像部２１１、Ｉ／Ｆ２１２、画像処理部２１４、及び操作部２１５夫々にバスを介して接続されている。制御部２１３は、スマートフォン２１の各部の動作を制御する。
【０１１０】
画像処理部２１４は、撮像部２１１が出力した動画像に所定の画像処理を施す。画像処理が施された動画像は、ケーブル４１，１５を介して表示装置１４に送信される。このために、スマートフォン２１には、表示装置１４との通信を確立し、動画像を表示装置１４に送信する処理を制御部２１３に実行させるコンピュータプログラムがインストールされる。
表示装置１４が受信した動画像は、画像処理部１４６を経て表示パネル１４１に入力され、表示パネル１４１の表示面に表示される。
【０１１１】
操作部２１５は、タッチパネルに設けられたソフトウェアキーである。使用者は、操作部２１５に触れることによって操作部２１５を操作する。操作部２１５が所定の操作を受け付ける都度、制御部２１３は、撮像部２１１による撮像を実行するカメラモードと、撮像を実行しない非カメラモードとを切り替える。なお、操作部２１５はハードウェアキーでもよい。
【０１１２】
以上のようなキャビネット１の場合、使用者は、スマートフォン２１を保持部材３に保持させる。また、使用者は、例えば自分の身長に合わせて、保持部材３の係合部３１２，３１２を第１扉１１の適宜の被係合部１１３，１１３に係合させる。更に、使用者は、ケーブル４１の端子４１１，４１２をスマートフォン２１のＩ／Ｆ２１２とコネクタ１５１とに接続させる。更にまた、使用者は、操作部２１５を操作してスマートフォン２１をカメラモードにする。
【０１１３】
撮像部２１１が出力した動画像はスマートフォン２１から表示装置１４へ送られ、表示パネル１４１に表示される。
使用者は、表示装置１４の操作部１４７を操作して、バックライト１４２をオンにする。この結果、使用者は、表示パネル１４１に表示された動画像（即ちスマートフォン２１によって撮像された自分の姿）を見ることができる。
【０１１４】
以上のようなキャビネット１によれば、キャビネット１に配される撮像装置として、使用者が所有しているスマートフォン２１を用いることができる。この場合、キャビネット１の製造コストを低減することができる。また、スマートフォン２１の置き場所として保持部材３を利用することができる。更に、スマートフォン２１として、例えば機種変更で使わなくなったスマートフォンを有効利用することができる。
スマートフォン２１は保持部材３に対して着脱可能である。故に、スマートフォン２１に不具合が生じた場合のスマートフォン２１の交換が容易である。
【０１１５】
なお、スマートフォン２１と表示装置１４とは互いに無線接続されてもよい。
保持部材３は、スマートフォン２１を挟み持つ構成に限定されない。例えば、保持部材３は、スマートフォン２１が載置される構成でもよい。
スマートフォン２１は、撮像部２１１が出力した動画像を記憶する記憶部を備えていてもよい。
保持部材３の係合部３１２は、例えばキャビネット本体１０のハンガーポール１０３又はハンガーポール１０３に係止されたハンガーに係合可能でもよい。
【０１１６】
次に、実施の形態５〜９を説明する。実施の形態５〜９のキャビネット１は、実施の形態４のキャビネット１と略同様の構成である。実施の形態５〜９のキャビネット１は、実施の形態４のキャビネット１の作用効果と略同様の作用効果を奏する。以下では、実施の形態４との差異について説明し、その他、実施の形態４と同一の構成要素には同一の符号を付してそれらの説明を省略する。
【０１１７】
実施の形態  ５．
図１５は、実施の形態５に係るキャビネット１が備える第２扉１２の裏面１２ａを示す正面図である。
実施の形態４のキャビネット１には、キャビネット１が工場から出荷される前に、表示装置１４が備えられる。
一方、本実施の形態のキャビネット１は、表示装置１４が備えられることなく、工場から出荷される。使用者は、自分が所有している携帯情報端末機をキャビネット１に取り付ける。このために、第２扉１２は、携帯情報端末機を着脱可能に保持する装置保持部材５を有する。
【０１１８】
図１６は、第２扉１２における装置保持部材５の近傍を示す正面図である。
図１５及び図１６に示す装置保持部材５の構成は、実施の形態４の保持部材３の構成と同様である。装置保持部材５は、支持部材３１，３１及び保持片３２，３３と同様の支持部材５１，５１及び保持片５２，５３を備える。保持片５３は、ボルト５４，５４及び蝶ナット５５，５５を用いて支持部材５１，５１に締結される。蝶ナット５５，５５夫々が緩められている場合、ボルト５４，５４が支持部材５１，５１の長孔５１１，５１１に案内されて上下方向に移動可能なので、保持片５３が保持片５２に接離可能である。
以下では、装置保持部材５に保持される携帯情報端末機として、タブレット２２を例示する。
【０１１９】
図１７は、キャビネット１の制御系の構成を示すブロック図である。
図１６及び図１７に示すタブレット２２は、一方向に長い矩形板状をなす。タブレット２２は、表示パネル２２１、バックライト２２２、ハーフミラー２２３、及びＩ／Ｆ２２４を備える。
表示パネル２２１は、タブレット２２の一面に設けられている。表示パネル２２１は透過型の表示パネルである。表示パネル２２１に入力された動画像は、表示パネル２２１の表示面に表示される。
バックライト２２２は、表示パネル２２１の表示面の裏側から表示パネル２２１を照明する。
【０１２０】
表示パネル２２１の表示面は、表示パネル２２１の保護フィルムを兼ねるハーフミラー２２３によって覆われている。バックライト２２２がオンである場合、バックライト２２２が発した光はハーフミラー２２３を透過する。すると、表示パネル２２１に表示された動画像が見える。バックライト２２２がオフである場合、ハーフミラー２２３に映った像が見える。
Ｉ／Ｆ２２４はタブレット２２の短辺部に設けられている。Ｉ／Ｆ２２４は、通信・充電両用の端子である。
【０１２１】
図１５及び図１６に示すように、タブレット２２は、保持片５２，５３の間にて、長手方向が縦に延びるようにして、保持片５２の上面に載置される。タブレット２２の、表示パネル２２１が設けられていない面は、支持部材５１，５１に接触する。保持片５３が保持片５２に接近し、蝶ナット５５，５５夫々が締められることによって、タブレット２２は、保持片５２，５３に挟み持たれる。装置保持部材５に保持されたタブレット２２のＩ／Ｆ２２４は、保持片５２の中途に設けられている溝５２１の上端に連通する。
ケーブル４２は、少なくとも給電線を内蔵している。ケーブル４２の一方の端子４２１は、溝５２１の下端から溝５２１に挿入されて、タブレット２２のＩ／Ｆ２２４に接続される。
【０１２２】
蝶ナット５５，５５が再び緩められれば、タブレット２２の取り外しは容易である。また、保持片５２，５３間の距離を調整することによって、異なるサイズのタブレット２２、又は横向きのタブレット２２を保持することができる。
【０１２３】
第１扉１１に複数の被係合部１１３，１１３，…が並設されているのと同様に、第２扉１２には複数の被係合部１２３，１２３，…が並設されている。
支持部材５１，５１に設けられている係合部は、第２扉１２の被係合部１２３に着脱可能に係合する。この結果、装置保持部材５は着脱可能に第２扉１２に取り付けられる。装置保持部材５の係合部と被係合部１２３との係合を解除することによって、装置保持部材５を第２扉１２から取り外すことができる。装置保持部材５の係合部が係合する被係合部１２３を変更すれば、装置保持部材５に保持されたタブレット２２の位置を変更することができる。
【０１２４】
ケーブル１６は、少なくとも給電線を内蔵している。ケーブル１６の一端部にはコネクタ１６１が設けられている。コネクタ１６１は、第２扉１２の裏面１２ａに開口している凹部に嵌め込まれている。コネクタ１６１にはケーブル４２の他方の端子４２２が接続される。
ケーブル４２はコネクタ１６１及びタブレット２２のＩ／Ｆ２２４夫々に対して着脱可能である。故に、ケーブル４２に不具合が生じた場合のケーブル４２の交換が容易である。
【０１２５】
第１扉１１が収容部１１４を備えているのと同様に、第２扉１２は収容部１２４を備える。収容部１２４はコネクタ１６１の近傍に設けられている。収容部１２４には、少なくともタブレット２２から取り外されたケーブル４２が収容される。故に、タブレット２２から取り外されて放置されたケーブル４２によってキャビネット１の美観が損なわれることを防止することができる。また、タブレット２２及びコネクタ１６１夫々から取り外されたケーブル４２の遺失を防止することができる。
【０１２６】
図１７に示すように、キャビネット１は電源装置１８を備える。電源装置１８は、例えば商用電源から給電される。電源装置１８には、ケーブル１５，１６が接続されている。スマートフォン２１は、ケーブル１５，４１を介して電源装置１８から給電される。タブレット２２は、ケーブル１６，４２を介して表示装置１４から給電される。コネクタ１６１は第２扉１２が有する給電部として機能する。
【０１２７】
タブレット２２はバッテリ２２０を備える。タブレット２２が電源装置１８から給電されている場合、バッテリ２２０は充電される。
タブレット２２は制御部２２５、通信部２２６、画像処理部２２７、及び操作部２２８を備える。
制御部２２５はＣＰＵを備える。制御部２２５は、表示パネル２２１、バックライト２２２、Ｉ／Ｆ２２４、通信部２２６、画像処理部２２７、及び操作部２２８夫々にバスを介して接続されている。制御部２２５は、タブレット２２の各部の動作を制御する。
【０１２８】
通信部２２６は、スマートフォン２１との間で無線通信を行なうためのアンテナを含む。タブレット２２には、スマートフォン２１との通信を確立し、スマートフォン２１から受信した動画像を表示パネル２２１に表示する処理を制御部２２５に実行させるコンピュータプログラムがインストールされる。
【０１２９】
スマートフォン２１は通信部２１６を備える。通信部２１６は、バスを介して制御部２１３に接続されている。通信部２１６は、タブレット２２との間で無線通信を行なうためのアンテナを含む。スマートフォン２１には、タブレット２２との通信を確立し、動画像をタブレット２２に送信する処理を制御部２１３に実行させるコンピュータプログラムがインストールされる。撮像部２１１から出力され、画像処理部２１４によって画像処理が施された動画像は、通信部２１６，２２６を介してタブレット２２に送信される。
【０１３０】
画像処理部２２７は、通信部２２６が受信した動画像に所定の画像処理を施す。画像処理が施された動画像は、表示パネル２２１に入力され、表示パネル２２１の表示面に表示される。
操作部２２８は、タッチパネルに設けられたソフトウェアキーである。使用者は、操作部２２８に触れることによって操作部２２８を操作する。操作部２２８が所定の操作を受け付ける都度、制御部２２５は、バックライト２２２のオンとオフとを切り替える。なお、操作部２２８はハードウェアキーでもよい。
【０１３１】
以上のようなキャビネット１の場合、使用者は、タブレット２２を装置保持部材５に保持させる。また、使用者は、例えば自分の身長に合わせて、装置保持部材５の係合部を第２扉１２の適宜の被係合部１２３，１２３に係合させる。更に、使用者は、ケーブル４２の端子４１１，４１２をタブレット２２のＩ／Ｆ２２４とコネクタ１６１とに接続させる。
【０１３２】
撮像部２１１が出力した動画像はスマートフォン２１からタブレット２２へ送られ、表示パネル２２１に表示される。
使用者は、タブレット２２の操作部２２８を操作して、バックライト２２２をオンにする。この結果、使用者は、表示パネル２２１に表示された動画像（即ちスマートフォン２１によって撮像された自分の姿）を見ることができる。
【０１３３】
以上のようなキャビネット１によれば、キャビネット１に配される撮像装置として、使用者が所有しているタブレット２２を用いることができる。この場合、キャビネット１の製造コストを低減することができる。また、タブレット２２の置き場所として装置保持部材５を利用することができる。更に、タブレット２２として、例えば機種変更で使わなくなったタブレットを有効利用することができる。
タブレット２２は装置保持部材５に対して着脱可能である。故に、タブレット２２に不具合が生じた場合のタブレット２２の交換が容易である。
【０１３４】
なお、スマートフォン２１とタブレット２２とは互いに有線接続されてもよい。
装置保持部材５は、タブレット２２を挟み持つ構成に限定されない。
タブレット２２は、表示パネル２２１に表示された動画像を記憶する記憶部を備えていてもよい。
装置保持部材５の係合部は、例えばキャビネット本体１０のハンガーポール１０３又はハンガーポール１０３に係止されたハンガーに係合可能でもよい。
スマートフォン２１及びタブレット２２にはケーブル４１，４２が接続されず、非接触で給電されてもよい。この場合、例えば第１扉１１及び第２扉１２夫々に非接触型の送電装置が内蔵される。第１扉１１（第２扉１２）に内蔵された送電装置は、第１扉１１（第２扉１２）に配されたスマートフォン２１（タブレット２２）に非接触で送電する。送電装置は給電部として機能する。非接触で給電された場合も、スマートフォン２１のバッテリ２１０及びタブレット２２のバッテリ２２０は充電される。
【０１３５】
実施の形態  ６．
図１８は、実施の形態６に係るキャビネット１が備える第１扉１１の裏面１１ａを示す正面図である。
図１９は、保持部材３を示す斜視図である。
図２０は、キャビネット１を模式的に示す平面図である。ただし、図２０におけるキャビネット本体１０の天板１０ａの図示は省略している。
【０１３６】
本実施の形態の保持部材３においては、支持部材３１，３１に係合部３１２，３１２が設けられていない。
保持部材３は取付部３６を備える。
取付部３６は矩形断面を有する棒材である。取付部３６は、係合部３１２，３１２と同様の係合部３６１，３６１を有する。係合部３６１，３６１は取付部３６の長手方向に併設されている。取付部３６は、長手方向が扉短辺方向に沿うようにして第１扉１１に取り付けられる。取付部３６の係合部３６１，３６１は、第１扉１１の裏面１１ａの被係合部１１３，１１３に係合する。
取付部３６の、第１扉１１の開閉端の側の端部には、枢軸３６２が設けられている。枢軸３６２は、取付部３６から上向きに突出している。
【０１３７】
保持片３２には、保持片３２が第１扉１１の開閉端に向けて延長されたような延長部３２２が設けられている。延長部３２２は、取付部３６の上面に重なり、枢軸３６２を介して回動可能に取付部３６に連結されている。
支持部材３１，３１及び保持片３２，３３は、スマートフォン２１を保持する保持部である。支持部材３１，３１及び保持片３２，３３は、枢軸３６２を中心にして、取付部３６に対して相対的に回動可能である。
【０１３８】
以上のようなキャビネット１によれば、保持部材３に保持されたスマートフォン２１を回動させることによって、スマートフォン２１の位置及び向きを調整することができる。
取付部３６を第１扉１１の開閉端の近傍に取り付けた場合、スマートフォン２１を第１扉１１の開閉端から扉短辺方向に突出させることができる。支持部材３１，３１が第１扉１１の裏面１１ａに接近するように回動した場合、装置保持部材５をコンパクトに収納することができる。
【０１３９】
なお、スマートフォン２１の向きに応じて、アウトサイドカメラ及びインサイドカメラの何れか一方が選択され、選択されたカメラが使用者を撮像してもよい。
【０１４０】
実施の形態  ７．
図２１は、実施の形態７に係るキャビネット１が備える第１扉１１の裏面１１ａを示す正面図である。
第１扉１１は保持部材６を備える。
【０１４１】
図２２は、保持部材６を示す斜視図である。
図２１及び図２２に示す保持部材６は保持棒６１、保持片６２，６３、及びケーブル６４を備える。
保持棒６１は、長手方向に伸縮可能にしてある。具体的には、複数本のパイプ材６１１，６１１，…が互いに入れ子に連結されており、外側のパイプ材６１１に対して内側のパイプ材６１１が出没することによって、保持棒６１が伸縮する。保持棒６１の長さは、例えば外側のパイプ材６１１の内周面と内側のパイプ材６１１の外周面との摩擦によって維持される。
【０１４２】
保持棒６１の基端部６１２は箱状であり、第１扉１１に固定されている。最下端のパイプ材６１１は、基端部６１２の上面から上向きに突出している。基端部６１２の内部は、パイプ材６１１，６１１，…の内部及び第１扉１１の内部夫々と連通している。
【０１４３】
保持棒６１の先端部には、保持片６２が連結されている。
保持片６２は矩形板状をなす。保持片６２の一面は上向きである。保持片６２の長辺は扉短辺方向に沿う。保持片６２の下面から、最上端のパイプ材６１１が下向きに突出している。なお、保持片６２は、保持棒６１に対して保持片６２の傾きが変更可能であるように保持棒６１に連結されていてもよい。
【０１４４】
保持片６２は連結筒６２１，６２１を有する。連結筒６２１，６２１夫々は保持片６２の上面に立設されている。連結筒６２１，６２１は、保持片６２の第１扉１１に近い方の長辺に沿って並んでいる。各連結筒６２１には弾性部材（例えばコイルばね）が内蔵されている。
【０１４５】
保持片６３はＵ字状に湾曲する棒材又はパイプ材である。保持片６３の両端部には連結部６３１，６３１が設けられている。連結部６３１，６３１夫々は棒状又はパイプ状をなし、保持片６３に直交する同じ向きに突出している。連結部６３１，６３１は、保持片６２の連結筒６２１，６２１に挿入され、連結筒６２１，６２１に内蔵されている弾性部材に連結されている。連結筒６２１，６２１に内蔵されている弾性部材によって、保持片６３は、連結部６３１，６３１が連結筒６２１，６２１に没入する方向に付勢されている。
【０１４６】
保持片６３は、保持片６２の上面に対向している。保持片６３に上向きの外力が加えられた場合、保持片６３は保持片６２から離隔する。保持片６３に加えられた外力が失われた場合、保持片６３は保持片６２に接近する方向に付勢される。即ち、保持片６３は保持片６２に接離可能である。
保持片６２，６３が引き離された場合、スマートフォン２１は、保持片６２，６３の間にて、長手方向が扉短辺方向に延び、一面が連結筒６２１，６２１に接触するようにして、保持片６３の上面に載置される。保持片６３が保持片６２に向けて付勢されることによって、スマートフォン２１は、保持片６２，６３に挟み持たれる。
保持棒６１を伸縮させれば、保持部材６に保持されたスマートフォン２１の上下方向の位置を変更することができる。
【０１４７】
ケーブル６４は、通信線及び給電線を内蔵している。ケーブル６４は、最上端のパイプ材６１１の周面を貫通して保持棒６１の内部に導かれている。スマートフォン２１の端子には、ケーブル６４の一方の端子が接続される。ケーブル６４の他方の端子は、第１扉１１の内部にてケーブル１５に接続されている。
スマートフォン２１は、ケーブル１５，６４を介して表示装置１４から給電される。ケーブル６４は、保持部材６が有する給電部として機能する。
【０１４８】
以上のようなキャビネット１の場合、使用者は、スマートフォン２１を保持部材６に保持させる。また、使用者は、例えば自分の身長に合わせて、保持部材６の保持棒６１を伸縮させる。更に、使用者は、ケーブル６４をスマートフォン２１に接続させる。更にまた、使用者は、操作部２１５を操作してスマートフォン２１をカメラモードにする。
【０１４９】
なお、保持部材６がケーブル６４を備えておらず、ケーブル１５のコネクタ１５１が、例えば保持部材６の基端部６１２又は第１扉１１に設けられていてもよい。この場合、コネクタ１５１とスマートフォン２１とがケーブル４１によって接続される。ケーブル４１が収容される収容部は、例えば保持部材６の基端部６１２に設けられていてもよい。
保持部材６は、公知の自分撮り用の支持具（いわゆる自撮り棒）でもよい。
【０１５０】
実施の形態  ８．
図２３は、実施の形態８に係るキャビネット１で実行される画像送信処理の手順を示すフローチャートである。
スマートフォン２１の操作部２１５は図示しないマイクを有する。操作部２１５のマイクには音声が入力される。スマートフォン２１が備える図示しない音声処理部は、操作部２１５のマイクに入力された音声から所定のコマンドを抽出する。制御部２１３は、抽出されたコマンドを受け付ける。即ち、制御部２１３は音声入力によりコマンドを受け付ける。
スマートフォン２１が備える図示しない記憶部には、本実施の形態に係るコンピュータプログラムがインストールされる。コンピュータプログラムは、例えば通信回線を介してダウンロードされ、インストールされる。
【０１５１】
制御部２１３は、所定の通信開始コマンドを受け付けたか否かを判定する（Ｓ１１）。通信開始コマンドを受け付けていない場合（Ｓ１１でＮＯ）、制御部２１３は処理をＳ１１へ戻す。
通信開始コマンドを受け付けた場合（Ｓ１１でＹＥＳ）、制御部２１３は、表示装置１４との間で所定の信号を送受信することによって、表示装置１４との通信を確立する（Ｓ１２）。
【０１５２】
次に、制御部２１３は、所定のオンコマンドを受け付けたか否かを判定する（Ｓ１３）。
オンコマンドを受け付けた場合（Ｓ１３でＹＥＳ）、制御部２１３はスマートフォン２１をカメラモードに移行させる（Ｓ１４）。この結果、撮像部２１１が使用者の後ろ姿（被写体の背面）を撮像し、撮像部２１１から出力された動画像に、画像処理部２１４が画像処理を施す。
制御部２１３は、画像処理が施された動画像を、表示装置１４に送信し始める（Ｓ１５）。
【０１５３】
表示装置１４が受信した動画像は、画像処理部１４６を経て表示パネル１４１に入力され、表示パネル１４１の表示面に表示される。このとき、表示装置１４の制御部１４５はバックライト１４２をオンにする。この結果、使用者は、表示パネル１４１に表示された動画像（自分の後ろ姿）を見ることができる。
【０１５４】
Ｓ１５の処理の終了後、スマートフォン２１の制御部２１３は、所定のオフコマンドを受け付けたか否かを判定する（Ｓ１６）。
オフコマンドを受け付けていない場合（Ｓ１６でＮＯ）、制御部２１３は処理をＳ１６へ戻す。撮像部２１１による撮像、画像処理部２１４による画像処理、及び表示装置１４への動画像の送信は継続される。
オフコマンドを受け付けた場合（Ｓ１６でＹＥＳ）、制御部２１３はスマートフォン２１を非カメラモードに移行させる（Ｓ１７）。この結果、撮像部２１１が撮像を停止する。
制御部２１３は、動画像の表示装置１４への送信を停止する（Ｓ１８）。
【０１５５】
表示装置１４においては、動画像が受信されなくなるので、表示パネル１４１に動画像が表示されなくなる。このとき、表示装置１４の制御部１４５はバックライト１４２をオフにする。この結果、使用者は、ハーフミラー１４３に映った自分の前姿（被写体の正面）の像を見ることができる。
【０１５６】
Ｓ１８の処理終了後、又は、オンコマンドを受け付けていない場合（Ｓ１３でＮＯ）、スマートフォン２１の制御部２１３は、所定の通信終了コマンドを受け付けたか否かを判定する（Ｓ１９）。通信終了コマンドを受け付けていない場合（Ｓ１９でＮＯ）、制御部２１３は処理をＳ１３へ戻す。
通信終了コマンドを受け付けた場合（Ｓ１９でＹＥＳ）、制御部２１３は表示装置１４との通信を終了し（Ｓ２０）、画像送信処理を終了する。なお、制御部２１３は、スマートフォン２１がオフにされるまでの間、Ｓ２０の処理終了後に処理をＳ１１へ戻してもよい。
【０１５７】
以上のようなキャビネット１によれば、使用者が、音声入力によってコンピュータにコマンドを与えることができるので、便利である。
【０１５８】
実施の形態  ９．
図２４は、実施の形態９に係る洗面化粧台を示す斜視図である。
図中７は洗面化粧台であり、洗面化粧台７は洗面台７１を備える。
洗面台７１は床面上に設置されている。洗面台７１は、天板７１０、洗面ボウル７１１、及び混合水栓７１２を備える。天板７１０は所定の高さに配されている。洗面ボウル７１１及び混合水栓７１２は天板７１０の上面に設けられている。使用者は、混合水栓７１２から放出される湯水を利用し、洗面ボウル７１１内で洗面、洗髪等の洗い作業を実施する。天板７１０の下側には、抽斗７１３及び扉７１４を有する収納部が設けてある。
【０１５９】
実施の形態１〜７のキャビネット１は衣装箪笥であるが、本実施の形態のキャビネット１は、洗面化粧台７が備える収納棚である。
キャビネット１は、洗面台７１の後部上方に設けられている。このために、洗面台７１は支持壁７１５を備える。支持壁７１５は、天板７１０の後縁に沿って、天板７１０の上面から垂直に立ち上がっている。
キャビネット１は、２つのキャビネット本体１０，１０を備える。キャビネット本体１０，１０は、洗面化粧台７に向かって左右方向に並置されている。各キャビネット本体１０は、支持壁７１５の上部がキャビネット本体１０の背板として利用されることによって、支持壁７１５の上部に固定されている。キャビネット本体１０は、仕切り板１０１、抽斗１０２，１０２、及びハンガーポール１０３を備えていない。キャビネット本体１０には、例えばトレイ状の棚板（不図示）が収容されている。
【０１６０】
キャビネット本体１０は、天板７１０の前後長さより短い前後長さを有する。左側のキャビネット本体１０の開口は第１扉１１によって覆われている。右側のキャビネット本体１０の開口は、第２扉１２によって覆われている。第１扉１１及び第２扉１２夫々の表面には鏡１１５，１２５が取り付けられている。支持壁７１５のキャビネット本体１０，１０の間には鏡７１６が取り付けられている。
第２扉１２には、実施の形態１の第２扉１２と同様に、表示装置１４が配されている。
【０１６１】
図２５は、第１扉１１の裏面１１ａを示す正面図である。
図２６は、洗面化粧台７を模式的に示す平面図である。
本実施の形態の保持部材６は、実施の形態７の保持部材６と略同様である。ただし、本実施の形態の保持部材６は保持棒６５を備える。
保持棒６５の構成は保持棒６１の構成と同様である。保持棒６５の基端部は保持棒６１の先端部に連結されている。保持棒６５は扉短辺方向に延びている。ケーブル６４は、保持棒６１，６５の内部を通って、保持棒６５の先端近傍から外部へ引き出されている。
【０１６２】
保持棒６５の先端部には、保持片６２の一面が上向きになるようにして、保持片６２が連結されている。保持棒６１，６５夫々を伸縮させれば、保持部材６に保持されたスマートフォン２１の位置を変更することができる。例えば、第１扉１１が前後方向に延びるように開いている場合、保持棒６５を伸縮させれば、スマートフォン２１の前後方向の位置を変更することができる。
【０１６３】
使用者はスマートフォン２１を洗面台７１よりも前側に移動させ、スマートフォン２１に背を向けて立つ。
本実施の形態では、第１扉１１及び第２扉１２を開けたとしても、第１扉１１と第２扉１２との間には洗面台７１がある。故に、第１扉１１と第２扉１２との間に使用者が立つことはできない。従って、表示装置１４を使用者に正対させることはできない。そこで、使用者は、表示パネル１４１に表示された動画像（即ち自分が所望する角度から見た自分の姿）を斜めに見ながら身なりを整える。
【０１６４】
なお、スマートフォン２１は第１扉１１の裏面１１ａに対向する位置に配されていてもよい。この場合、使用者は、互いに平行になるように開けられた第１扉１１及び第２扉１２の間に身を乗り出し、表示装置１４の表示パネル１４１の方を向く。すると、スマートフォン２１の撮像部２１１が使用者の後ろ頭を撮像するので、使用者の顔に正対する表示パネル１４１に、使用者の後ろ頭の動画像が表示される。
【０１６５】
第１扉１１には、実施の形態１の第１扉１１と同様に撮像装置１３が配されていてもよく、実施の形態４，６，７の第１扉１１と同様にスマートフォン２１が配されていてもよい。
表示装置１４は、第２扉１２の表面に配されていてもよい。この場合、使用者は、第２扉１２を開かずとも表示パネル１４１に表示された動画像を見ることができる。また、第２扉１２の表面に鏡１２５を取り付ける必要がない。
第２扉１２には、実施の形態５と同様にタブレット２２が配されてもよい。タブレット２２は、本実施の形態の保持部材６と同様の装置保持部材に保持されてもよい。
【０１６６】
第１扉１１又は第２扉１２は、短辺方向に伸縮可能な構成でもよい。例えば、第２扉１２は、側板１０ｃにヒンジ結合された扉本体と、扉本体を覆うカバーとを備える。扉本体には、短辺方向に延びるレールが設けられている。カバーがレールに案内されて短辺方向に移動することによって、第２扉１２は短辺方向に伸縮する。表示装置１４はカバーの表面に取り付けられる。この結果、第２扉１２を伸縮させることによって、表示装置１４の位置を変更することができる。
【０１６７】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
各実施の形態に開示されている構成要件（技術的特徴）はお互いに組み合わせ可能であり、組み合わせによって新しい技術的特徴を形成することができる。
【符号の説明】
【０１６８】
１      キャビネット
１１    第１扉
１１３  被係合部
１１４  収容部
１２    第２扉
１２３  被係合部
１２４  収容部
１３    撮像装置
１４    表示装置
１４１  表示パネル
１４３  ハーフミラー
１５１  コネクタ（給電部）
１６１  コネクタ（給電部）
１７    第３扉
２１    スマートフォン（携帯情報端末機）
２１１  撮像部
２２    タブレット（携帯情報端末機）
２２１  表示パネル
２２３  ハーフミラー
３      保持部材
３１    支持部材（保持部）
３１２  係合部
３２    保持片（保持部）
３３    保持片（保持部）
３６    取付部
３６１  係合部
４１    ケーブル
４２    ケーブル
５      装置保持部材
５２    保持片
５３    保持片
６      保持部材
６１    保持棒
６２    保持片
６３    保持片
６４    ケーブル（給電部）
６５    保持棒
７      洗面化粧台
７１    洗面台
【図１】
2019146787.tif 000003
【図２】
2019146787.tif 000004
【図３】
2019146787.tif 000005
【図４】
2019146787.tif 000006
【図５】
2019146787.tif 000007
【図６】
2019146787.tif 000008
【図７】
2019146787.tif 000009
【図８】
2019146787.tif 000010
【図９】
2019146787.tif 000011
【図１０】
2019146787.tif 000012
【図１１】
2019146787.tif 000013
【図１２】
2019146787.tif 000014
【図１３】
2019146787.tif 000015
【図１４】
2019146787.tif 000016
【図１５】
2019146787.tif 000017
【図１６】
2019146787.tif 000018
【図１７】
2019146787.tif 000019
【図１８】
2019146787.tif 000020
【図１９】
2019146787.tif 000021
【図２０】
2019146787.tif 000022
【図２１】
2019146787.tif 000023
【図２２】
2019146787.tif 000024
【図２３】
2019146787.tif 000025
【図２４】
2019146787.tif 000026
【図２５】
2019146787.tif 000027
【図２６】
2019146787.tif 000028